(57)【要約】【課題】大きさの異なる吸収パッドをそれぞれ適切な位置に容易に装着できるようにする。【解決手段】上記課題は、トップシート１１上における立体ギャザー４０の自由部分４５と対応する前後方向範囲に、吸収パッドＰ１，Ｐ２の前後少なくとも一方の端部を差し込むためのポケット７１，７２が、大きさの異なる複数種の吸収パッドＰ１，Ｐ２に適合する前後方向位置にそれぞれ設けられており、ポケット７１，７２は、トップシート１１を前後方向ＬＤに断面Ｚ字状に折り返すことにより形成されており、少なくとも最も股間側に位置するポケット７１は、トップシート１１における吸収体１３の表側に位置する吸収表面部分の幅方向両端部で、少なくともポケット７１の開口側の部分における表側内面部分１１ｂと裏側内面部分１１ａとが接合された開口幅規制部分７３を有している、ことにより解決される。【選択図】図１０
2018051228.tif 000002
【特許請求の範囲】
【請求項１】
吸収体の表側を覆うトップシートを備えるとともに、トップシートにおける吸収体の表側に位置する吸収表面部分の両側部に、装着者の肌側に立ち上がる自由部分を有する立体ギャザーがそれぞれ前後方向に沿って延在されており、
前記トップシート上における前記立体ギャザーの自由部分と対応する前後方向範囲に、吸収パッドの前後少なくとも一方の端部を差し込むためのポケットが、大きさの異なる複数種の吸収パッドに適合する前後方向位置にそれぞれ設けられている、使い捨ておむつにおいて、
前記トップシートにより、前記ポケットの裏側の内面を構成する裏側内面部分と、この裏側内面部分における前記ポケットの底部位置で表側かつ股間側に折り返され、前記ポケットの開口の縁まで延びる、前記ポケットの表側の内面を構成する表側内面部分と、この表側内面部分における前記ポケットの開口の縁で表側かつウエスト側に折り返され、前記ポケットの表側の外面を構成する表側外面部分とが形成され、前記表側内面部分と前記裏側内面部分との非接合部分が前記吸収パッドの挿入空間となっており、
少なくとも最も股間側に位置するポケットは、前記トップシートの吸収表面部分の幅方向両端部で、少なくともポケットの開口側の部分における表側内面部分と裏側内面部分とが接合された開口幅規制部分を有している、
ことを特徴とする使い捨ておむつ。
【請求項２】
前記開口幅規制部分の幅が、ウエスト側に位置するポケットほど狭くなっている、請求項１記載の使い捨ておむつ。
【請求項３】
前記開口幅規制部分における表側内面部分と裏側内面部分とは剥離可能に接合されている、請求項１又は２記載の使い捨ておむつ。
【請求項４】
幅方向両側の前記開口幅規制部分の間に、少なくともポケットの開口側の部分における表側内面部分と裏側内面部分とが剥離可能に接合された仮止め部分を有している、請求項１〜３のいずれか１項に記載の使い捨ておむつ。
【請求項５】
前記仮止め部分における表側内面部分に、メカニカルファスナーのフック材が設けられており、このフック材が前記裏側内面部分に剥離可能に接合されるようになっている、請求項４記載の使い捨ておむつ。
【発明の詳細な説明】
【技術分野】
【０００１】
本発明は、吸収パッドを適切な位置に取り付け可能である使い捨ておむつに関する。
【背景技術】
【０００２】
使い捨ておむつは、吸収体の表側を覆うトップシートを備えるとともに、トップシートにおける吸収体の表側に位置する吸収表面部分の両側部に、装着者の肌側に立ち上がる自由部分を有する立体ギャザーがそれぞれ前後方向に沿って延在しているものが一般的となっている（例えば特許文献１参照）。このような立体ギャザーを備えることによって、両立体ギャザー間に排泄物が留まり、特に着用者の脚周り部からの排泄物の漏れが防止される。立体ギャザーは、製品状態ではトップシート上に折り畳まれており、使用時に立ち上がるようになっている。
【０００３】
また、使い捨ておむつにおいては、少量排泄時におむつ全体を交換せずに済むように、アウター使い捨ておむつの表面に尿吸収を目的とした吸収パッド（パッドタイプの使い捨ておむつである）を敷いて使用することがあり、吸収パッドの裏面に設けられた粘着剤層や面ファスナー（メカニカルファスナー）のフック材（オス材）等の係止手段により、吸収パッドをアウター使い捨ておむつの表面に固定することが一般的となっている。このような利用形態は、成人向けの使い捨ておむつに多いものである。
【０００４】
しかし、使い捨ておむつに吸収パッドを併用したときの尿漏れの原因の一つとして、吸収パッドが適切な位置に装着されないことが挙げられる。通常の場合、使い捨ておむつと吸収パッドとは寸法も異なるため、吸収パッドの適切な装着位置は目見当では分かりにくい。
【０００５】
この問題を解決するものとして、アウター使い捨ておむつや吸収パッドに目印をつけることも提案されているが、目が不自由な高齢者が介護者となる場合や夜間の交換時には効果がない。
【０００６】
一方、アウター使い捨ておむつの表面における前後両側に、股間側に開口するポケットを設け、吸収パッドの前後をポケットに挿入することにより吸収パッドを装着する構造も提案されており（特許文献１〜４参照）、この構造は目印に頼らずに吸収パッドを装着でき、またポケットが尿をせき止めることにより漏れ防止性を向上できる利点がある。この場合、大きさの異なる吸収パッドの使用に対応するために、ポケットを前後方向に複数設けることが好ましい。
【０００７】
しかし、特許文献２記載のもののように、トップシートにおける吸収体の表側に位置する吸収表面部分の幅方向全体にわたるポケットを前後方向に複数設けたものでは、股間側のポケットが邪魔になることがあった。すなわち、吸収パッドを装着するときには、当該吸収パッドに適した位置のポケットに、吸収パッドの前後端部を差し込む。このとき、ある程度大きな吸収パッドを装着するには、股間側のポケットの上を通して吸収パッドを配置し、吸収パッドの側部を指先でトップシートと立体ギャザーとの間の奥まで差し込む必要がある。
【０００８】
ところが、吸収パッドの下に隠れたポケットの入口が、トップシートの吸収表面部分の幅方向両端部まで延びていると、吸収パッドの側部をトップシートとの立体ギャザーとの間の奥まで差し込む際に、当該吸収パッドの下に位置するポケットの入口に指先が誤って入ってしまうおそれがあった。この場合、指が引っかかることにより作業が煩雑となるだけでなく、使用しないポケットに吸収パッドの側部を押し込んでしまい、吸収パッドの装着位置がずれてしまうおそれもある。
【先行技術文献】
【特許文献】
【０００９】
【特許文献１】特開２００８−２３７３９１号公報
【特許文献２】特開２００７−１４３８９０号公報
【特許文献３】特開２０１１−１５６１１０号公報
【特許文献４】特開２０１１−２０６２１８号公報
【発明の概要】
【発明が解決しようとする課題】
【００１０】
そこで本発明の主たる課題は、大きさの異なる吸収パッドをそれぞれ適切な位置に容易に装着できる使い捨ておむつを提供することにある。
【課題を解決するための手段】
【００１１】
上記課題を解決した本発明の代表的な態様は次のとおりである。
＜第１の態様＞
吸収体の表側を覆うトップシートを備えるとともに、トップシートにおける吸収体の表側に位置する吸収表面部分の両側部に、装着者の肌側に立ち上がる自由部分を有する立体ギャザーがそれぞれ前後方向に沿って延在されており、
前記トップシート上における前記立体ギャザーの自由部分と対応する前後方向範囲に、吸収パッドの前後少なくとも一方の端部を差し込むためのポケットが、大きさの異なる複数種の吸収パッドに適合する前後方向位置にそれぞれ設けられている、使い捨ておむつにおいて、
前記トップシートにより、前記ポケットの裏側の内面を構成する裏側内面部分と、この裏側内面部分における前記ポケットの底部位置で表側かつ股間側に折り返され、前記ポケットの開口の縁まで延びる、前記ポケットの表側の内面を構成する表側内面部分と、この表側内面部分における前記ポケットの開口の縁で表側かつウエスト側に折り返され、前記ポケットの表側の外面を構成する表側外面部分とが形成され、前記表側内面部分と前記裏側内面部分との非接合部分が前記吸収パッドの挿入空間となっており、
少なくとも最も股間側に位置するポケットは、前記トップシートの吸収表面部分の幅方向両端部で、少なくともポケットの開口側の部分における表側内面部分と裏側内面部分とが接合された開口幅規制部分を有している、
ことを特徴とする使い捨ておむつ。
【００１２】
（作用効果）
本態様では、少なくとも最も股間側に位置するポケットが開口幅規制部分を有しているため、当該最も股間側のポケットの上を通して吸収パッドを配置し、吸収パッドの側部を指先でトップシートと立体ギャザーとの間の奥まで差し込む際、当該吸収パッドの下に位置するポケットの入口は指先の通過位置では開口幅規制部分により閉じているため、指先が該吸収パッドの下に位置するポケットの入口に入りにくくなる。よって、大きさの異なる吸収パッドをそれぞれ適切な位置に容易に装着できるようになる。
【００１３】
＜第２の態様＞
前記開口幅規制部分の幅が、ウエスト側に位置するポケットほど狭くなっている、第１の態様の使い捨ておむつ。
【００１４】
（作用効果）
大きな吸収パッドほど前後方向及び幅方向の寸法の両方が長くなるため、開口幅規制部分の幅は本態様のように変化していることが好ましい。
【００１５】
＜第３の態様＞
前記開口幅規制部分における表側内面部分と裏側内面部分とは剥離可能に接合されている、第１又は２の態様の使い捨ておむつ。
【００１６】
（作用効果）
本態様では、長さは短いものの幅が広い吸収パッドを使用する場合に、開口幅規制部分を剥離し、開口幅を広げて装着することができる。また、吸収パッドの側部をトップシートとの立体ギャザーとの間の奥まで差し込む際に、当該吸収パッドの下に位置するポケットの入口に指先が誤って入ってしまっても、そのまま押し進めることにより開口幅規制部分を引き剥がし、指を抜かずにそのまま装着作業を継続することができる。
【００１７】
＜第４の態様＞
幅方向両側の前記開口幅規制部分の間に、少なくともポケットの開口側の部分における表側内面部分と裏側内面部分とが剥離可能に接合された仮止め部分を有している、第１〜３のいずれか１つの態様の使い捨ておむつ。
【００１８】
（作用効果）
このような仮止め部分を有していることにより、吸収パッドの装着の際、使用するポケットの入口に仮止め部分を有する場合には仮止めを外してポケットの全体を開口させ、使用しないポケットの入口については仮止め部分を外さず、当該ポケットの開口が装着作業の邪魔にならないように閉じておくことができる。
【００１９】
＜第５の態様＞
前記仮止め部分における表側内面部分に、メカニカルファスナーのフック材が設けられており、このフック材が前記裏側内面部分に剥離可能に接合されるようになっている、第４の態様の使い捨ておむつ。
【００２０】
（作用効果）
殆ど多くの使い捨ておむつ・吸収パッドの表面は不織布で形成されており、メカニカルファスナーのフック材を剥離可能に接合できるようになっている。よって、本態様のように仮止め部分をフック材により構成すると、ポケットの仮止め・開口を容易に行うことができるだけでなく、開口したポケットに挿入した吸収パッドの表面に、ポケットの表側内面部分のフック材を剥離可能に接合することにより、吸収パッドをより強固に固定することができる。
【発明の効果】
【００２１】
以上のとおり、本発明によれば、大きさの異なる吸収パッドをそれぞれ適切な位置に容易に装着できるようになる、等の利点がもたらされる。
【図面の簡単な説明】
【００２２】
【図１】展開状態のパンツタイプ使い捨ておむつの平面図（内面側）である。
【図２】展開状態のパンツタイプ使い捨ておむつの平面図（外面側）である。
【図３】内装体の平面図である。
【図４】（ａ）図１の２−２断面図、（ｂ）図１の３−３断面図である。
【図５】図１の４−４断面図である。
【図６】図１の５−５断面図である。
【図７】パンツタイプ使い捨ておむつの装着状態の斜視図である。
【図８】パンツタイプ使い捨ておむつの要部を示す平面図である。
【図９】図１の６−６断面図である。
【図１０】パンツタイプ使い捨ておむつの要部を示す斜視図である。
【図１１】吸収パッド装着状態を示す図１の２−２断面図である。
【図１２】吸収パッド装着状態を示す図１の６−６断面図である。
【図１３】（ａ）吸収パッド装着状態を示す図１の７−７断面図、（ｂ）吸収パッド装着状態を示す図１の６−６断面図である。
【図１４】テープタイプ使い捨ておむつの展開状態の内面側を示す平面図である。
【図１５】テープタイプ使い捨ておむつの展開状態の外面側を示す平面図である。
【図１６】図１４の５−５断面図である。
【図１７】（ａ）図１４の４−４断面図、（ｂ）図１４の６−６断面図である。
【図１８】（ａ）図１４の２−２断面図、（ｂ）（ｃ）吸収パッド装着状態を示す図１４の２−２断面図である。
【図１９】図１の６−６断面図である。
【図２０】（ａ）吸収パッド装着状態を示す図１４の７−７断面図、（ｂ）吸収パッド装着状態を示す図１４の６−６断面図である。
【図２１】内装体の平面図である。
【図２２】図１の６−６断面図である。
【発明を実施するための形態】
【００２３】
以下、本発明の一実施形態について、添付図面を参照しつつ詳説する。なお、図中の点模様部分はホットメルト接着剤等の接合手段を示している。
＜パンツタイプ使い捨ておむつの例＞
図１〜図８はパンツタイプ使い捨ておむつの一例を示している。このパンツタイプ使い捨ておむつ（以下、単におむつともいう。）は、前身頃Ｆ及び後身頃Ｂを一体的に構成する外装体２０と、前身頃Ｆから後身頃Ｂにわたるように外装体２０の内面に固定された内装体１０とを有しており、内装体１０は液透過性トップシート１１と液不透過性シート１２との間に吸収体１３が介在されてなるものである。例えば、製造に際しては、外装体２０の内面（上面）に対して内装体１０の裏面がホットメルト接着剤などの接合手段によって接合（図２の点模様部分）された後に、内装体１０及び外装体２０が前身頃Ｆ及び後身頃Ｂの境界である前後方向ＬＤ（縦方向）中央で折り畳まれ、その両側部が相互に熱溶着又はホットメルト接着剤などによって接合されてサイドシール部２１が形成されることによって、ウエスト開口及び左右一対の脚開口が形成されたパンツタイプ使い捨ておむつとなる。
【００２４】
（内装体の構造例）
内装体１０は、図４〜図６に示すように、不織布などからなる液透過性トップシート１１と、ポリエチレン等からなる液不透過性シート１２との間に、吸収体１３を介在させた構造を有しており、トップシート１１を透過した排泄液を吸収保持するものである。内装体１０の平面形状は特に限定されないが、図示形態のように略長方形とすることが一般的である。
【００２５】
吸収体１３の表面側（肌当接面側）を覆う液透過性トップシート１１としては、有孔又は無孔の不織布や多孔性プラスチックシートなどが好適に用いられる。不織布を構成する素材繊維は、ポリエチレン又はポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。液透過性トップシート１１に多数の透孔を形成した場合には、尿などが速やかに吸収されるようになり、ドライタッチ性に優れたものとなる。トップシート１１は、吸収体１３の側縁部を巻き込んで吸収体１３の裏面側まで延在している。
【００２６】
吸収体１３の裏面側（非肌当接面側）を覆う液不透過性シート１２は、ポリエチレン又はポリプロピレンなどの液不透過性プラスチックシートが用いられるが、近年はムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸又は二軸方向に延伸することにより得られる微多孔性シートである。
【００２７】
吸収体１３としては、公知のもの、例えばパルプ繊維の積繊体、セルロースアセテート等のフィラメントの集合体、あるいは不織布を基本とし、必要に応じて高吸収性ポリマーを混合、固着等してなるものを用いることができる。この吸収体１３は、形状及びポリマー保持等のため、必要に応じてクレープ紙等の、液透過性及び液保持性を有する包装シート１４によって包装することができる。
【００２８】
吸収体１３の全体形状は、股間部分に前後両側よりも幅の狭い括れ部分１３Ｎを有する略砂時計状に形成されているが、長方形状等、適宜の意形状とすることができる。括れ部分１３Ｎの寸法は適宜定めることができるが、括れ部分１３Ｎの前後方向長さはおむつ全長の２０〜５０％程度とすることができ、その最も狭い部分の幅は吸収体１３の全幅の４０〜６０％程度とすることができる。このような括れ部分１３Ｎを有する場合において、内装体１０の平面形状が略長方形とされていると、内装体１０における吸収体１３の括れ部分１３Ｎと対応する部分に、吸収体１３を有しない余り部分が形成される。
【００２９】
トップシート１１における吸収体１３の表側に位置する吸収表面部分の両側部には、装着者の肌側に立ち上がる立体ギャザー４０がそれぞれ前後方向ＬＤに沿って延在されている。この立体ギャザー４０は、図５及び図６に示されるように、内装体１０の裏面の側部に固定された固定部４３と、この固定部４３から内装体１０の側方を経て内装体１０の表面の側部まで延在する本体部４４と、本体部４４の前後端部が倒伏状態で内装体１０の表面の側部に固定されて形成された倒伏部分４７と、この前後方向ＬＤにおける倒伏部分４７の間が非固定とされて形成された自由部分４５とを有している。これら各部は折り返しによって二重シートとした立体ギャザーシート４１により形成されている。立体ギャザーシート４１としては撥水性とされた不織布が好適に用いられる。
【００３０】
また、二重シートのシート間には、自由部分の先端部等に細長状の立体ギャザー弾性部材４２が配設されている。立体ギャザー弾性部材４２は、製品状態において図５に二点鎖線で示すように、弾性伸縮力により吸収体側縁部より突出する自由部分を起立させて立体ギャザー４０を形成するためのものである。
【００３１】
液不透過性シート１２は、液透過性トップシート１１とともに吸収体１３の幅方向両側で裏側に折り返されている。この液不透過性シート１２としては、排便や尿などの褐色が出ないように不透明のものを用いるのが望ましい。不透明化としては、プラスチック中に、炭酸カルシウム、酸化チタン、酸化亜鉛、ホワイトカーボン、クレイ、タルク、硫酸バリウムなどの顔料や充填材を内添してフィルム化したものが好適に使用される。
【００３２】
立体ギャザー弾性部材４２としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。また、外側から見え難くするため、太さは９２５ｄｔｅｘ以下、テンションは１５０〜３５０％、間隔は１０ｍｍ以下として配設するのがよい。なお、立体ギャザー弾性部材４２としては、図示形態のような糸状の他、ある程度の幅を有するテープ状のものを用いることもできる。
【００３３】
前述の立体ギャザーシート４１を構成する素材繊維も液透過性トップシート１１と同様に、ポリエチレン又はポリプロピレン等のオレフィン系、ポリエステル系、アミド系等の合成繊維の他、レーヨンやキュプラ等の再生繊維、綿等の天然繊維とすることができ、スパンボンド法、サーマルボンド法、メルトブローン法、ニードルパンチ法等の適宜の加工方法に得られた不織布を用いることができるが、特にはムレを防止するために坪量を抑えて通気性に優れた不織布を用いるのがよい。さらに立体ギャザーシート４１については、尿などの透過を防止するとともに、カブレを防止しかつ肌への感触性（ドライ感）を高めるために、シリコン系、パラフィン金属系、アルキルクロミッククロイド系撥水剤などをコーティングした撥水処理不織布を用いるのが望ましい。
【００３４】
（外装体の構造例）
外装体２０は、前後方向中央から腹側に延在する前身頃Ｆを構成する部分と、前後方向中央から背側に延在する後身頃Ｂを構成する部分とを有し、これら前身頃Ｆの両側部と後身頃Ｂの両側部とが接合されてサイドシール部２１が形成されるとともに、図７に示すように、装着者の胴を通すためのウエスト開口及び脚を通すための左右一対の脚開口が形成されているものである。
外装体２０は、サイドシール部２１を有する縦方向範囲（ウエスト開口から脚開口の上端に至る縦方向範囲）として定まる胴周り部Ｔと、脚開口を形成する部分の前後方向範囲（前身頃Ｆのサイドシール部２１を有する縦方向領域と後身頃Ｂのサイドシール部２１を有する縦方向領域との間）して定まる脚開口部Ｌとを有する。胴周り部Ｔは、概念的にウエスト開口の縁部を形成するウエスト部Ｗと、これよりも下側の部分であるウエスト下方部Ｕとに分けることができる。通常、胴周り部Ｔ内に幅方向伸縮応力が変化する境界（例えば弾性部材の太さや伸長率が変化する）を有する場合は、最もウエスト開口側の境界よりもウエスト開口側がウエスト部Ｗとなり、このような境界が無い場合は吸収体１３又は内装体１０よりもウエスト開口側がウエスト部Ｗとなる。
【００３５】
外装体２０は、図４〜図６にも示されるように、それぞれ不織布等からなる押えシート２０Ａ及びバックシート２０Ｂからなる２層構造とされ、押えシート２０Ａとバックシート２０Ｂとの間、及びバックシート２０Ｂをウエスト開口縁で内面側に折り返してなる折り返し部分２０Ｃの不織布間に各種弾性部材が配設され、伸縮性が付与されている。平面形状は、中間両側部にそれぞれ脚開口を形成するために形成された凹状の脚周りライン２９により、全体として擬似砂時計形状をなしている。
【００３６】
図示形態の外装体２０は、前身頃Ｆ及び後身頃Ｂのそれぞれにおいて、幅方向ＷＤに沿う弾性部材として、ウエスト部Ｗに配置されたウエスト部弾性部材２４、ウエスト下方部Ｕに配置されたウエスト下方部弾性部材２５、及び脚開口部Ｌに配置された脚開口部弾性部材２７を有するとともに、これらとは別に、サイドシール部２１から一脚開口に沿って股間部分に向かうパターンで湾曲しつつ延在する湾曲弾性部材２６，２８を備えている。これら、弾性部材２４〜２８は、それぞれその延在方向に沿って所定の伸長率で伸長された状態で固定されている。なお、本外装体２０では、脚周りライン２９に沿って前身頃Ｆのサイドシール部から後身頃Ｂのサイドシール部まで連続する、所謂脚周り弾性部材は設けられていない。
【００３７】
ウエスト部弾性部材２４は、装着者のウエストを伸縮性をもって締め付けるためのものであり、図示例ではウエスト部Ｗにおける層間に幅方向ＷＤに沿って伸長状態で取り付けられた糸ゴム等の細長状弾性部材とされており、縦方向に間隔をおいて複数本設けられている。このウエスト部弾性部材２４は、図示例では糸ゴムを用いたが、例えばテープ状の伸縮部材を用いてもよい。また、図示形態のウエスト部弾性部材２４は、ウエスト部におけるバックシート２０Ｂの折り返し部分２０Ｃの不織布間に挟持されているが、押えシート２０Ａとバックシート２０Ｂとの間に挟持しても良い。ウエスト部弾性部材２４は、ウエスト部Ｗの幅方向全体に設けられることが望ましい。
【００３８】
ウエスト下方部弾性部材２５は、おむつを装着者の下腹部や臀部に伸縮性をもって密着させるためのものであり、図示例ではウエスト下方部Ｕにおける層間に幅方向ＷＤに沿って伸長状態で取り付けられた糸ゴム等の細長状弾性部材とされており、縦方向に間隔をおいて複数本設けられている。ウエスト下方部弾性部材２５は、ウエスト下方部Ｕのうち少なくとも吸収体の幅方向中間部の幅方向両側に設けられ、側縁はサイドシール部２１まで設けられることが望ましい。
【００３９】
脚開口部弾性部材２７は、主に脚開口に沿う部分に幅方向ＷＤの伸縮性を与えるためのものであり、図示例では脚開口部Ｌにおける層間に幅方向ＷＤに沿って伸長状態で取り付けられた複数本の糸ゴム等の細長状弾性部材とされており、縦方向に間隔をおいて複数本設けられている。脚開口部弾性部材２７は、脚開口部Ｌのうち少なくとも吸収体の幅方向中間部の幅方向両側に設けられ、側縁は脚開口縁２９まで設けられることが望ましい。
【００４０】
外装体２０における胴周り部Ｔから脚開口部Ｌにわたる範囲には、ウエスト部弾性部材２４、ウエスト下方部弾性部材２５、脚開口部弾性部材２７とは別に、糸ゴム等の細長状弾性部材からなる湾曲弾性部材２６，２８が所定の曲線に沿って配置されている。湾曲弾性部材２６は、一本であっても良いが複数本であるのが好ましく、図示例では４本の糸ゴム等の細長状弾性部材であり、これら湾曲弾性部材２６，２８は互いに交差することなく、間隔をおいて配置されている。この湾曲弾性部材２６，２８は、２，３本程度の弾性部材を間隔を密にして実質的に一束として配置される他、所定の伸縮ゾーンを形成するように３〜２０ｍｍ、好ましくは６〜１６ｍｍ程度の間隔を空けて、３本以上、好ましくは４本以上配置される。
【００４１】
図８に示されるように、外装体２０に配置されたウエスト下方部弾性部材２５、脚開口部弾性部材２７及び湾曲弾性部材２６，２８は、製造時に外装体２０に対して連続的に固定した後に、吸収体１３と重なる部分の一部又は全部が、所定の切断パターンＣＰで細かく切断されて収縮力が作用しない非収縮部分（つまり、図８の切断パターンＣＰと重なる部分）とされ、この非収縮部分より側方に延在する部分が収縮力の作用する収縮部分（つまり、図８の切断パターンＣＰより側方の、ウエスト下方部弾性部材２５及び湾曲弾性部材２６，２８が連続的に残された部分）とすることができる。このため、ウエスト下方部弾性部材２５、脚開口部弾性部材２７及び湾曲弾性部材２６，２８は、一方側のサイドシール部２１から吸収体１３を横切って他方（反対）側のサイドシール部２１まで連続的に設けた後に、吸収体１３と重なる部分の一部又は全部が、細かく切断される。これにより、吸収体１３の幅方向ＷＤの不必要な収縮を防止することができる。もちろん、ウエスト下方部弾性部材２５、脚開口部弾性部材２７及び湾曲弾性部材２６，２８を、吸収体１３を横切って連続的に配置することもできる。これらのことからも理解できるように、本発明において「弾性部材が設けられている」とは、弾性部材部分の収縮力が作用する収縮部分が設けられていることを意味し、弾性部材の収縮力が切断により殺された非収縮部分は「弾性部材が設けられている」ことには含まれない。
【００４２】
上述した外装体２０は、例えば特開平４−２８３６３号公報や、特開平１１−３３２９１３号公報記載の技術により製造することができる。また、湾曲弾性部材２６，２８を内装体１０上で切断し不連続化するには、特開２００２−３５０２９号公報、特開２００２−１７８４２８号公報及び特開２００２-２７３８０８号公報に記載される切断方法が好適に採用される。
【００４３】
図示例とは異なり、湾曲弾性部材２６，２８を、前身頃Ｆ及び後身頃Ｂのいずれか一方にのみ設けるだけでも良い。また、湾曲弾性部材２６，２８を、前身頃Ｆ及び後身頃Ｂの両方に設ける場合、前身頃Ｆ側に配置された湾曲弾性部材２８の群の一部又は全部と、後身頃Ｂ側に配置された湾曲弾性部材２６の群の一部又は全部とが交差する形態（図示せず）も採用できるが、図示例のように、前身頃Ｆ側に配置された湾曲弾性部材２８の群と、後身頃Ｂ側に配置された湾曲弾性部材２６の群とは互いに交差することなく前後方向中間部、特に前身頃Ｆに若干偏った位置で縦方向に離間している形態が好適である。
【００４４】
さらに、湾曲弾性部材２６，２８はその全体が湾曲していなくても良く、部分的に直線状の部分を有していても良い。
【００４５】
弾性部材２４〜２８の取付時の伸長率は適宜定めることができるが、通常の成人用の場合、ウエスト部弾性部材２４は１６０〜３２０％程度、ウエスト下方部弾性部材２５及び脚開口部弾性部材２７は１６０〜３２０％程度、湾曲弾性部材２６，２８は２３０〜３２０％程度とすることができる。
【００４６】
（前後カバーシート）
図１及び図４にも示されるように、外装体２０の内面上に取り付けられた内装体１０の前後端部をカバーし、かつ内装体１０の前後縁からの漏れを防ぐために、前後押えシート２２，２３が設けられていても良い。図示形態について更に詳細に説明すると、前カバーシート２２は、前身頃Ｆ内面のうちウエスト側端部の折り返し部分２０Ｃの内面から内装体１０の前端部と重なる位置まで幅方向全体にわたり延在しており、後押えシート２３は、後身頃Ｂ内面のうちウエスト側端部の折り返し部分２０Ｃの内面から内装体１０の後端部と重なる位置まで幅方向全体にわたり延在している。前後押えシート２２，２３の股下側縁部に幅方向ＷＤの全体にわたり（中央部のみでも良い）若干の非接着部分を設けると、接着剤が食み出ないだけでなく、この部分をトップシートから若干浮かせて防漏壁として機能させることができる。
【００４７】
図示形態のように、前後押えシート２２，２３を別体として取り付けると、素材選択の自由度が高くなる利点があるものの、資材や製造工程が増加する等のデメリットもある。そのため、外装体２０をおむつ内面に折り返してなる折り返し部分２０Ｃを、内装体１０と重なる部分まで延在させて、前述の押えシート２２，２３と同等の部分を形成することもできる。
【００４８】
上述の例では、前身頃Ｆから後身頃Ｂまでを一体的な外装体１２により連続的に覆っているが、外装体が前身頃Ｆを構成するものと後身頃Ｂを構成するものとに分割されており、前身頃Ｆの外装体と後身頃Ｂの外装体とが股間側で連続しておらず、離間されている形態も採用することができる（図示略）。この場合、前身頃の外装体は、少なくとも縦方向伸縮部と重なる部分、その幅方向両側の部分及びこれらのウエスト開口側の部分を有するものとされる。また、内装体の裏面は不織布等の股間部外装体により被覆することができる。
【００４９】
＜テープタイプ使い捨ておむつの例＞
図１４〜図１７は、テープタイプ使い捨ておむつの一例を示しており、この使い捨ておむつは、吸収体１３と、吸収体１３の表側を覆う透液性トップシート１１と、吸収体１３の裏側を覆う液不透過性シート１２とを備えている。吸収体１３は図示しない包装シートにより包むことができる。これらの素材としては、パンツタイプのものと同様のものを使用することができる。
【００５０】
おむつ外面を布のような外観、肌触りとするために、液不透過性シート１２の裏面全体は外装シート２０Ｄで覆われており、両シート１１，１２の外周縁はおむつの外周縁まで及んでいる。外装シート２０Ｄとしては各種の不織布を用いることができるが、スパンボンド不織布が好適である。外装シート２０Ｄは省略することもできる。
【００５１】
トップシート１１は、吸収体１３の周囲より外側に延在しており、吸収体１３側縁より外側に延在する部分が液不透過性シート１２にホットメルト接着剤等により固着されている。なお、図中の点模様は固着部分を表しているものである。
【００５２】
図１４、図１６及び図１７にも示されるように、トップシート１１における吸収体１３の表側に位置する吸収表面部分の両側部には、装着者の肌側に立ち上がる立体ギャザー４０がそれぞれ前後方向ＬＤに沿って延在されている。より詳細には、トップシート１１の側縁部表面からその側方に延在する液不透過性シート１２の表面には、立体ギャザー４０を構成する立体ギャザーシート４１の幅方向外側の固定部４３が前後方向全体にわたり貼り付けられている。立体ギャザーシート４１は、各種不織布（スパンボンド不織布が好適である）の他、バックシートに用いられるものと同様のプラスチックフィルム、又はこれらの積層シートを用いることができるが、肌への感触性の点で、撥水処理を施した不織布が好適である。立体ギャザーシート４１の幅方向中央側の本体部４４は、前後方向両端部では倒伏状態で物品内面（図示形態ではトップシート１１表面）にホットメルト接着剤等の手段により固着され、倒伏部分４７とされているが、これらの間の中間部は非固定の自由部分４５となっており、この自由部分４５の先端部等（展開状態における幅方向中央側の端部）には、細長状の立体ギャザー弾性部材４２が前後方向ＬＤに沿って伸張した状態でホットメルト接着剤等により固定されている。この立体ギャザー弾性部材４２は図示例では所定の間隔を空けて複数本設けられているが、一本でも良い。この自由部分４５は、立体ギャザー弾性部材４２の収縮力が作用する結果、図１７に示されるように、物品内面（図示形態ではトップシート１１表面）に対して立ち上がる立体ギャザーを構成する。この起立部分の立ち上がり位置４６は、立体ギャザー４における幅方向外側の固定部分４３と内側の部分４４との境となり、トップシートの吸収表面部分の幅方向両端部に位置することとなる。
【００５３】
使い捨ておむつ１００の前後方向両端部では、液不透過性シート１２、外装シート２０Ｄ、透液性トップシート１１及び立体ギャザーシート４１が吸収体１３の前後端よりも前後両側にそれぞれ延在され、吸収体１３の存在しないエンドフラップ部ＥＦが形成されている。一方、使い捨ておむつ１００の左右両側部では、液不透過性シート１２、外装シート２０Ｄ、透液性トップシート１１及び立体ギャザーシート４１が吸収体１３の側縁よりも側方にそれぞれ延在され、吸収体１３の存在しないサイドフラップ部ＳＦが形成されている。サイドフラップ部ＳＦのうち腹側部分Ｆのウエスト側部分及び背側部分Ｂのウエスト側部分にそれぞれ位置する部分は、それらの間の中間部分よりも側方に延出されており、これらの部分が、おむつの胴回り部分となり、中間部分が脚周り包囲部分ＬＨとなり、その両側縁が脚開口の縁Ｌｅとなる。
【００５４】
サイドフラップ部ＳＦの前後方向中間部には、液不透過性シート１２と外装シート２０Ｄとの間に細長状弾性部材４８が前後方向ＬＤに沿って伸張状態でホットメルト接着剤等により固定されており、この細長状弾性部材４８の収縮によりサイドフラップ部ＳＦにはいわゆる平面ギャザーが形成されている。この平面ギャザーにより、おむつの側部が弾性伸縮して脚周りにフィットするようになる。
背側部分Ｂのサイドフラップ部ＳＦには、その側縁からそれぞれ突出するファスニングテープ５０が取り付けられるとともに、腹側部分Ｆの胴回り部表面に幅方向ＷＤに沿ってフロントターゲットテープ６０が貼着されており、身体への装着に際しては、おむつ１００を身体にあてがった状態で、両側のファスニングテープ５０を腰の各側から腹側外面に回してフロントターゲットテープ６０に止着する。フロントターゲットテープ６０は省略することもでき、その場合にはファスニングテープ５０はおむつ外面（図示形態の場合外装シート２０Ｄ）に直に止着される。
【００５５】
図１６に示されるように、ファスニングテープ５０は、背側部分Ｂのウエスト側サイドフラップ部ＳＦにおけるシート間にホットメルト接着剤等の手段により固定された固定部５１と、サイドフラップ部ＳＦの側縁のシート間から幅方向外側に突出する突出部５２とを有しており、この突出部５２は先端部５３と、この先端部５３よりも基端側の本体部５４とを有している。ファスニングテープ５０の先端部５３の内面側（透液性表面シート２側）には、ターゲットテープ６０との連結のための連結部として、表面にフック状突起を多数有するフック材（メカニカルファスナー（面ファスナー）の雄材）５５がそれぞれ取り付けられており、フロントターゲットテープ６０としてフック状突起が着脱可能に掛止される表面を有するもの（メカニカルファスナー（面ファスナー）の雌材）６が取り付けられている。おむつ外面の素材自体をフロントターゲットテープ６０の代わりに用いたり、フック材５５に代えて粘着剤層を用いるとともに、フロントターゲットテープ６０として粘着性に富むような表面が平滑な樹脂テープを用いたりすることができる。
【００５６】
また、図１４及び図１５に示されるように、ファスニングテープ５０には、上下方向中間部における幅方向外側縁から本体部５４内まで幅方向ＷＤに沿うミシン目５６が設けられており、このミシン目５６を切り離すことにより各々が固定部、本体部、先端部及び連結部を備えた上段部及び下段部に分離することができるものである。ミシン目５６に代えて、予め切断等により分離されていても良い。このようなファスニングテープ５０は、上段部と下段部とを交差させた状態で、腹側部分のフロントターゲットテープ６０に着脱自在に連結することができる。もちろん、このような上下２段分割タイプに限られず、２段分割しないタイプ等、他の公知のファスニングテープに応用することもできる。
【００５７】
＜吸収パッド差し込みポケット＞
パンツタイプ使い捨ておむつにおいては図１、図３、図４、及び図９〜１３に示すように、またテープタイプ使い捨ておむつにおいては図１４、図１７〜２０に示すように、トップシート１１上における立体ギャザー４０の自由部分４５と対応する前後方向範囲に、吸収パッドＰ１，Ｐ２の前後少なくとも一方の端部を差し込むためのポケット７１，７２が、大きさの異なる複数種の吸収パッドＰ１，Ｐ２に適合する前後方向位置にそれぞれ設けられている。また、トップシート１１により、ポケット７１，７２の裏側の内面を構成する裏側内面部分１１ａと、この裏側内面部分１１ａにおけるポケット７１，７２の底部位置で表側かつ股間側に折り返され、ポケット７１，７２の開口の縁まで延びる、ポケット７１，７２の表側の内面を構成する表側内面部分１１ｂと、この表側内面部分１１ｂにおけるポケット７１，７２の開口の縁で表側かつウエスト側に折り返され、ポケット７１，７２の表側の外面を構成する表側外面部分１１ｃとが形成されている。つまり、トップシート１１が断面Ｚ字状に折り返されており、表側内面部分１１ｂと裏側内面部分１１ａとの非接合部分が、吸収パッドＰ１，Ｐ２の挿入空間となっている。表側内面部分１１ｂと表側外面部分１１ｃとは、ホットメルト接着剤等の接合手段により対向面同士が接合されていると好ましいが、非接合とすることもできる。
【００５８】
図示形態では、股間側に開口する複数のポケット７１，７２が、前後方向両側にそれぞれ設けられているが、前後方向ＬＤのいずれか一方側にのみ股間側に開口するポケット７１，７２を設けるだけでもよい。
【００５９】
ポケット７１，７２の数は複数である限り適宜定めることができるが、通常の場合、前後片側あたり２〜５程度、特に２〜３程度とすることが好ましい。
【００６０】
ポケット７１，７２の開口の縁の前後方向位置は適宜定めればよいが、通常の場合、使い捨ておむつの前後方向中央位置を０％とし、ウエスト側の縁を１００％としたとき、７５〜１００％の範囲内にすべてのポケット７１，７２が開口していることが好ましい。また、ポケット７１，７２の開口の縁の前後方向ＬＤの間隔は、５０〜１００ｍｍ程度とすることが好ましい。
【００６１】
各ポケット７１，７２の深さは適宜定めることができるが、通常の場合、１０〜３０ｍｍ程度とすることが好ましい。また、各ポケット７１，７２の深さは、当該ポケット７１，７２の開口とウエスト側に隣接するポケット７１，７２の開口との前後方向間隔以下とすることが好ましい。各ポケット７１，７２の深さは異なるものとすることができ、例えばウエスト側のポケット７１，７２ほど深く形成することが好ましい。
【００６２】
そして、特徴的には、少なくとも最も股間側に位置するポケット７１は、トップシート１１における吸収体の表側に位置する吸収表面部分の幅方向両端部で、少なくともポケット７１の開口側の部分における表側内面部分１１ｂと裏側内面部分１１ａとが接合された開口幅規制部分７３を有している。このように、少なくとも最も股間側に位置するポケット７１が開口幅規制部分７３を有していると、以下の利点がある。すなわち、当該最も股間側のポケット７１に適した装着位置を有する、相対的に小さな吸収パッドＰ１を使用する場合、パンツタイプ使い捨ておむつにおいては図１１（ａ）及び図１２に示すように、またテープタイプ使い捨ておむつにおいては図１８（ｂ）及び図１９に示すように、吸収パッドＰ１の前後端部は、使い捨ておむつの前側及び後側にそれぞれ設けられた最も股間側に位置するポケット７１に差し込まれる。この際、当該吸収パッドＰ２の下にはポケットはない。これに対して、パンツタイプ使い捨ておむつにおいては図１１（ｂ）及び図１３に示すように、またテープタイプ使い捨ておむつにおいては図１８（ｃ）及び図２０に示すように、相対的に大きな吸収パッドＰ２を使用する場合、当該最も股間側のポケット７１の上を通して吸収パッドＰ２を配置し、吸収パッドＰ１の前後端部を、使い捨ておむつの前側及び後側にそれぞれ設けられたウエスト側のポケット７２に差し込む。この際、吸収パッドＰ２の側部を指先でトップシート１１と立体ギャザー４０との間の奥まで差し込むことがあるが、パンツタイプ使い捨ておむつにおいては図１３（ｂ）に示すように、またテープタイプ使い捨ておむつにおいては図２０（ｂ）に示すように、当該吸収パッドＰ２の下に位置するポケット７１の入口は指先の通過位置では開口幅規制部分７３により閉じているため、指先が該吸収パッドＰ２の下に位置するポケット７１の入口に入りにくくなる。よって、大きさの異なる吸収パッドＰ１，Ｐ２をそれぞれ適切な位置に容易に装着できるようになる。
【００６３】
開口幅規制部分７３はすべてのポケット７１，７２に設けることもできるし、図示形態のようにウエスト側の一部のポケット７２には設けない形態とすることもできる。特に、大きな吸収パッドＰ２ほど前後方向ＬＤ及び幅方向ＷＤの寸法の両方が長くなるため、開口幅規制部分７３の幅はウエスト側に位置するポケット７２ほど狭く（つまり開口幅が広く）なっていると好ましい。なお、この形態には、ウエスト側の一部のポケット７２における開口幅規制部分７３の幅がゼロになる、つまり開口幅規制部分７３が無い場合も含まれる。
【００６４】
開口幅規制部分７３（接合部分）は、少なくともポケット７１の開口側の部分に設けられている限り、前後方向寸法は特に限定されず、図示形態のようにポケット７１の前後方向ＬＤのほぼ全体にわたり設けられていても、ポケット７１の開口の縁部のみに設けられていても良い。
【００６５】
開口幅規制部分７３における表側内面部分１１ｂと裏側内面部分１１ａとの接合は、剥離可能となっていてもよい。これにより、長さは短いものの幅が広い吸収パッドを使用する場合に、開口幅規制部分７３を剥離し、開口幅を広げて装着することができる。また、吸収パッドＰ２の側部をトップシート１１との立体ギャザー４０との間の奥まで差し込む際に、当該吸収パッドＰ２の下に位置するポケット７１の入口に指先が誤って入ってしまっても、そのまま押し進めることにより開口幅規制部分７３を引き剥がし、指を抜かずにそのまま装着作業を継続することができる。開口幅規制部分７３で表側内面部分１１ｂと裏側内面部分１１ａとを剥離可能に接合するには、ホットメルト接着剤や溶着による接合自体を弱くするほか、後述する仮止め部分と同様に、メカニカルファスナーのフック材のような着脱可能な接合手段を用いることもできる。図中の符号７３ｍはホットメルト接着剤やフック材のような介在型の接合手段を示している。
【００６６】
他方、図２１及び図２２に示すように、幅方向両側の前記開口幅規制部分７３の間に、少なくともポケット７１の開口側の部分における表側内面部分１１ｂと裏側内面部分１１ａとが剥離可能に接合された仮止め部分７４を有しているのも好ましい形態である。図示形態では最も股間側に位置するポケット７１にのみ仮止め部分を設けているが、ウエスト側のポケット７２に仮止め部分７４を設けることもできる。仮止め部分７４は、幅方向両側の開口幅規制部分７３の間であれば、図示形態のように幅方向中央部に設けるほか、幅方向全体にわたり設けたり、幅方向両側に設けたりすることもできる。このような仮止め部分７４を有していることにより、相対的に大きな吸収パッドＰＰ２を装着する際、当該吸収パッド７２の前後方向ＬＤの端部をウエスト側のポケット７２（使用するポケット７２の入口に仮止め部分７４を有する場合には仮止めを外して開口させる）に差し込み、使用しないポケット７１の入口については仮止め部分７４を外さず、当該ポケット７１の開口が装着作業の邪魔にならないように閉じておくことができる。
【００６７】
仮止め部分７４で表側内面部分１１ｂと裏側内面部分１１ａとを剥離可能に接合するには、ホットメルト接着剤や溶着による接合自体を弱くするほか、メカニカルファスナーのフック材のような着脱可能な接合手段を用いることもできる。図中の符号７４ｍはホットメルト接着剤やフック材のような介在型の接合手段を示している。特に、表側内面部分１１ｂにフック材からなる仮止め部分７４が設けられており、このフック材が前記裏側内面部分１１ａに剥離可能に接合されるようになっていると好ましい。すなわち、殆ど多くの使い捨ておむつ・吸収パッドＰ１，Ｐ２の表面は不織布で形成されており、メカニカルファスナーのフック材を剥離可能に接合できるようになっている。よって、本態様のように仮止め部分７４をフック材により構成すると、ポケット７１の仮止め・開口を容易に行うことができるだけでなく、開口したポケット７１に挿入した吸収パッドＰ１の表面に、ポケット７１の表側内面部分１１ｂのフック材を剥離可能に接合することにより、吸収パッドＰ１をより強固に固定することができる。
【００６８】
＜明細書中の用語の説明＞
明細書中で以下の用語が使用される場合、明細書中に特に記載が無い限り、以下の意味を有するものである。
・「前後方向」とは腹側（前側）と背側（後側）を結ぶ方向を意味し、「幅方向」とは前後方向と直交する方向（左右方向）を意味する。
・「展開状態」とは、収縮や弛み無く平坦に展開した状態を意味する。
・「伸長率」は、自然長を１００％としたときの値を意味する。
・「厚み」は、自動厚み測定器（ＫＥＳ−Ｇ５  ハンディー圧縮試験機）を用い、荷重：１０ｇｆ／ｃｍ２、及び加圧面積：２ｃｍ２の条件下で自動測定する。
・試験や測定における環境条件についての記載が無い場合、その試験や測定は、標準状態（試験場所は、温度２０±５℃、相対湿度６５％以下）の試験室又は装置内で行うものとする。
・各部の寸法は、特に記載が無い限り、自然長状態ではなく展開状態における寸法を意味する。
【産業上の利用可能性】
【００６９】
本発明は、上記例のようなパンツタイプ、テープタイプ等、使い捨ておむつ全般に利用できるものである。
【符号の説明】
【００７０】
Ｂ…後身頃、Ｆ…前身頃、Ｌ…脚開口部、Ｐ１，Ｐ２…吸収パッド、Ｔ…胴周り部、Ｕ…ウエスト下方部、Ｗ…ウエスト部、ＬＤ…前後方向、ＷＤ…幅方向、１０…内装体、１１…トップシート、１１ａ…裏側内面部分、１１ｂ…表側内面部分、１１ｃ…表側外面部分、１２…液不透過性シート、１３…吸収体、１３Ｎ…括れ部分、１４…包装シート、２０…外装体、２０Ｃ…折り返し部分、２１…サイドシール部、２４…ウエスト部弾性部材、２５…ウエスト下方部弾性部材、２６，２８…湾曲弾性部材、２７…脚開口部弾性部材、２９…脚周りライン、４０…立体ギャザー、４１…立体ギャザーシート、４２…立体ギャザー弾性部材、７１，７２…ポケット、７３…開口幅規制部分、７４…仮止め部分。
【図１】
2018051228.tif 000003
【図２】
2018051228.tif 000004
【図３】
2018051228.tif 000005
【図４】
2018051228.tif 000006
【図５】
2018051228.tif 000007
【図６】
2018051228.tif 000008
【図７】
2018051228.tif 000009
【図８】
2018051228.tif 000010
【図９】
2018051228.tif 000011
【図１０】
2018051228.tif 000012
【図１１】
2018051228.tif 000013
【図１２】
2018051228.tif 000014
【図１３】
2018051228.tif 000015
【図１４】
2018051228.tif 000016
【図１５】
2018051228.tif 000017
【図１６】
2018051228.tif 000018
【図１７】
2018051228.tif 000019
【図１８】
2018051228.tif 000020
【図１９】
2018051228.tif 000021
【図２０】
2018051228.tif 000022
【図２１】
2018051228.tif 000023
【図２２】
2018051228.tif 000024